(57)【要約】      （修正有）【課題】紙幣カセットによる入出金および手動による入出金の両方に対応し、省スペースかつ低コストな紙幣処理装置を提供する。【解決手段】紙幣出納装置２２であって、端部２３１ａから紙幣を受け入れて、その紙幣を紙幣出納装置２２内に搬送する搬送部と、紙幣操出ユニット２０１ａ，３０ａを装着可能なように構成されており、紙幣操出ユニット２０１ａ，３０ａから繰出された紙幣が搬送部の端部２３１ａから搬送されるように、紙幣操出ユニット２０１ａ，３０ａと搬送部とを接続する紙幣操出ユニット接続部２１０ａと、を備える。【選択図】図９
2015109102.tif 000002
【特許請求の範囲】
【請求項１】
紙幣処理装置であって、
紙幣を前記紙幣処理装置内に搬送する搬送部と、
前記紙幣処理装置と一体に構成されており、かつ、前記搬送部と接続される第１の位置と、前記搬送部と切り離される第２の位置との間を移動可能に構成された第１の紙幣繰出ユニットと、
前記第１の位置にある前記第１の紙幣繰出ユニットから繰出された紙幣が前記搬送部により搬送されるように、前記第１の紙幣繰出ユニットと前記搬送部とを接続する紙幣繰出ユニット接続部と、を備え、
前記紙幣繰出ユニット接続部は、前記第１の紙幣繰出ユニットが前記第２の位置にあるとき、第２の紙幣繰出ユニットを前記第１の位置に装着可能であり、前記第２の紙幣繰出ユニットから繰出された紙幣が前記搬送部により搬送されるように、前記第２の紙幣繰出ユニットと前記搬送部とを接続することを特徴とする紙幣処理装置。
【請求項２】
前記第１の紙幣繰出ユニットは、所定の軸を中心に回転移動することにより前記第２の位置に退避することを特徴とする請求項１に記載の紙幣処理装置。
【請求項３】
前記第１の紙幣繰出ユニットは、平行移動することにより前記第２の位置に退避することを特徴とする請求項１に記載の紙幣処理装置。
【請求項４】
前記第１の紙幣繰出ユニットは、外部から紙幣を受け入れて１枚ずつ繰出す紙幣受入ユニットであり、前記第２の紙幣繰出ユニットは、紙幣を内部に収納し、収納した紙幣を繰出す紙幣カセットであることを特徴とする請求項１〜３のいずれかに記載の紙幣処理装置。
【発明の詳細な説明】
【技術分野】
【０００１】
本発明は、紙幣処理装置に係わり、例えば、店舗のチェックアウトカウンター側に設置された現金精算装置に紙幣を補充し、あるいは現金精算装置から紙幣を回収するための紙幣処理装置に関する。
【背景技術】
【０００２】
従来から店舗のチェックアウトカウンター側において店員が客との現金（紙幣、硬貨）の受け渡し業務を行うために現金精算装置が使用されている。現金精算装置は、投入された現金を計数して収納し、収納されている現金を釣銭として払い出す機能を有している。一般に、チェックアウトカウンターは、紙幣精算装置（紙幣釣銭機）と、硬貨精算装置（硬貨釣銭機）と、ＰＯＳ（Point Of Sales）レジスタ等の金銭登録機とを通信可能に接続したものとして構成される。
【０００３】
一方、店舗のバックオフィス側においては、その店舗内に設置された現金精算装置に釣銭準備金等の現金を装填（補充）し、あるいは、現金精算装置の売上金等を回収するために現金出納装置が使用されている。現金出納装置は、現金精算装置から回収された現金を収納（入金）し、現金精算装置へ装填する現金を投出（出金）する機能を有している。現金出納装置には、紙幣出納装置と硬貨出納装置とがある。
【０００４】
近年、現金精算装置と現金出納装置との間で現金を搬送する際のセキュリティを確保するため、現金を搬送するためのカセット（以下、「現金搬送カセット」という。）を使用することが提案されている。
【０００５】
特許文献１には、現金金庫（１２）を有するキャッシュステーション（１０）と、ドッキングステーション（２８）を有するテラーセーフ（２６）との間で、紙幣を収納可能な紙幣コンテナ（１４）を用いて紙幣を搬送するシステムが開示されている。また、特許文献２には、紙幣を回収して収納するための補充回収カセット（８）が開示されている。
【先行技術文献】
【特許文献】
【０００６】
【特許文献１】欧州特許第２０３１５６７号明細書
【特許文献２】特開２００７−０３４５２２号公報
【発明の概要】
【発明が解決しようとする課題】
【０００７】
実際には、紙幣精算装置が、紙幣を収納する現金搬送カセット（以下、「紙幣カセット」という。）による入出金に対応しておらず、店員が手動で紙幣を入出金する場合がある。このような場合にも対応するため、紙幣出納装置は、紙幣カセットによる入出金だけでなく、従来の手動による紙幣の入出金にも対応可能であることが望ましい。さらに、紙幣出納装置の大型化を回避しつつ、店員等のユーザにとって操作しやすい高さに紙幣カセットを装着できるとともに、そのような高さで手動により紙幣を入金できることが望ましい。
【０００８】
そこで、本発明は、省スペースでありながら、複数の紙幣繰出ユニットによる入出金をほぼ高さで行うことができる紙幣出納装置（紙幣処理装置）を提供することを目的とする。
【課題を解決するための手段】
【０００９】
本発明の一態様による紙幣処理装置は、紙幣処理装置であって、端部から紙幣を受け入れて、その紙幣を前記紙幣処理装置内に搬送する搬送部と、少なくとも２種類の紙幣繰出ユニットが装着可能なように構成されており、前記紙幣操出ユニットから繰出された紙幣が前記搬送部の前記端部から搬送されるように、前記紙幣操出ユニットと前記搬送部とを接続する紙幣操出ユニット接続部と、を備えることを特徴とする。
【００１０】
本発明の一態様による紙幣処理装置においては、前記紙幣操出ユニットは、外部から紙幣を受け入れて１枚ずつ繰出す紙幣受入ユニットと、紙幣を内部に収納し、収納した紙幣を繰出す紙幣カセットとであることが好ましい。
【００１１】
本発明の一態様による紙幣処理装置においては、前記紙幣受入ユニットは、前記紙幣処理装置と一体に構成されており、かつ、前記搬送部と接続される第１の位置と、前記搬送部と切り離される第２の位置との間を移動可能に構成されており、前記紙幣受入ユニットが前記第２の位置にあるとき、前記紙幣カセットを前記第１の位置に装着可能であることが好ましい。
【００１２】
本発明の一態様による紙幣処理装置においては、前記紙幣受入ユニットは、前記紙幣処理装置に対して着脱可能であることが好ましい。
【発明の効果】
【００１３】
本発明によれば、省スペースでありながら、複数の紙幣繰出ユニットによる入出金をほぼ高さで行うことができる紙幣処理装置を提供することができる。
【図面の簡単な説明】
【００１４】
【図１】本発明に係る実施形態に従った現金管理システム１の構成例を示すブロック図である
【図２】現金出納装置２１の一例の外観を示す図である。
【図３】紙幣出納装置２２の構成例を示すブロック図である。
【図４】紙幣出納装置２２の内部構成の一例を示す断面図である。（Ａ）は、入金部２１０ａに紙幣受入ユニット２０１ａを装着した状態を示し、（Ｂ）は、入金部２１０ａに紙幣カセット３０ａを装着した状態を示す。
【図５】紙幣出納装置２２の入金動作を説明するための図である。（Ａ）は、紙幣受入ユニット２０１ａが装着されている場合における紙幣の搬送経路を示し、（Ｂ）は、紙幣カセット３０ａが装着されている場合における紙幣の搬送経路を示す。
【図６】紙幣出納装置２２の出金動作を説明するための図である。（Ａ）は、紙幣受入ユニット２０１ａが装着されている場合における紙幣の搬送経路を示し、（Ｂ）は、紙幣カセット３０ａが装着されている場合における紙幣の搬送経路を示す。
【図７】（Ａ）は紙幣出納装置２２の補充動作における紙幣の搬送経路を示す図であり、（Ｂ）は紙幣出納装置２２の回収動作における紙幣の搬送経路を示す図である。
【図８】変形例に係る紙幣出納装置２２Ｘの内部構成を示す断面図である。
【図９】第１の実施形態に係る紙幣出納装置２２の斜視図である。
【図１０】第２の実施形態に係る紙幣出納装置２２の斜視図である。
【図１１】第３の実施形態に係る紙幣出納装置２２の斜視図である。
【発明を実施するための形態】
【００１５】
本実施形態に係る紙幣出納装置が使用されるシステムの一例として、図１に示す現金管理システム１を説明する。
【００１６】
図１は、現金管理システム１の構成例を示すブロック図である。現金管理システム１は、店員が顧客から受け取った現金、および、店員が顧客へ支払う現金を処理および管理するシステムである。
【００１７】
現金管理システム１は、店舗内のチェックアウトエリアに設けられており、店員が顧客との間でやりとりした現金を入出金するチェックアウトカウンター１０と、チェックアウトカウンター１０の現金および商品を管理するバックオフィス２０と、チェックアウトカウンター１０とバックオフィス２０との間において現金を搬送する現金搬送カセット３０とから構成されている。
【００１８】
チェックアウトカウンター１０は、現金を入金および出金することにより顧客との精算処理を行う現金精算装置１１と、レジスタ１４とを含む。レジスタ１４は、例えば、店員によって操作されるＰＯＳレジスタ、または顧客によって操作されるセルフチェックアウト用レジスタである。図１では、チェックアウトエリアは、３つのチェックアウトカウンター１０を含む。
【００１９】
現金精算装置１１は、レジスタ１４を介して店員によって操作され、店員と顧客との間の精算処理に用いられる。例えば、現金精算装置１１は、顧客が支払った代金を入金し、あるいは、顧客へ支払う釣銭を出金する。現金精算装置１１は、レジスタ１４と通信可能に接続されており、対応付けられたレジスタ１４と連携して精算処理を行う。なお、現金精算装置１１は、レジスタ１４と一体に構成されていてもよい。
【００２０】
バックオフィス２０は、現金出納装置２１と、現金管理装置２５と、ＰＯＳ管理装置２６とを含む。現金出納装置２１は、現金精算装置１１と通信可能に接続されており、例えば、現金精算装置１１へ装填するための釣銭準備金を出金し、あるいは、現金精算装置１１から回収した売上金を入金する。現金管理装置２５は、ＬＡＮ（Local Area Network）等の通信回線を介して現金精算装置１１および現金出納装置２１と通信可能に接続されている。現金管理装置２５は、現金精算装置１１および現金出納装置２１に収納されている現金を管理する。例えば、現金管理装置２５は、現金精算装置１１のそれぞれにおいて精算処理された現金、並びに、現金精算装置１１と現金出納装置２１との間で授受された現金を管理する。また、現金管理装置２５は、現金精算装置１１または現金出納装置２１に現金搬送カセット３０が装着されているか否かを監視してもよい。ＰＯＳ管理装置２６は商品の流れを管理する。尚、商品の流れについては本発明と直接関連しないので、ここではＰＯＳ管理装置２６に関する詳細な説明を省略する。
【００２１】
現金搬送カセット３０は、現金精算装置１１および現金出納装置２１に着脱可能に構成されている。この現金搬送カセット３０は、現金精算装置１１または現金出納装置２１に装着されているときには現金精算装置１１または現金出納装置２１との間で現金を授受することができる。一方、現金搬送カセット３０は、現金精算装置１１および現金出納装置２１から離脱しているときには内部の現金を取出せないように収納している。
【００２２】
店員は、現金搬送カセット３０を用いて現金精算装置１１と現金出納装置２１との間における現金の搬送を行う。例えば、釣銭準備金の装填時、店員は、現金出納装置２１から出金して現金精算装置１１に装填する現金を、現金搬送カセット３０を用いて現金出納装置２１から現金精算装置１１に搬送する。また、売上金の回収時、店員は、現金精算装置１１から回収して現金出納装置２１に入金する現金を、現金搬送カセット３０を用いて現金精算装置１１から現金出納装置２１に搬送する。店員は、現金の搬送時に現金搬送カセット３０内の現金に触れることができないので、セキュリティ上安全な状態で現金を搬送することができる。
【００２３】
なお、現金搬送カセット３０は、紙幣および硬貨のいずれか一方を収納および繰り出しできるように構成されていてもよく、両方を収納および繰り出しできるように構成されていてもよい。
【００２４】
紙幣用の現金搬送カセット３０（紙幣カセット３０ａ）は、紙幣を積み重ねて収納するスタック式カセットであってもよく、あるいは、紙幣を一枚ずつ１本あるいは複数本のテープ間に挟み込んだ状態で該テープを紙幣とともに巻き取るテープリール式カセットであってもよい。硬貨用の現金搬送カセット３０は、金種混合の状態で硬貨を収納するカセットでよい。
【００２５】
現金搬送カセット３０は、該現金搬送カセット３０を特定するための識別情報（カセットＩＤ）や、収納する現金に関する情報（金種別の数など）を記憶する記憶部を備える。現金搬送カセット３０がテープリール式の場合、記憶部は、現金搬送カセット３０が収納する現金の収納順と、各現金の金種・正損等に関する情報とを記憶する。
【００２６】
図２は、現金出納装置２１の一例の外観を示す図である。現金出納装置２１は、紙幣出納装置２２および硬貨出納装置２３を含む。紙幣出納装置２２は、紙幣精算装置１２へ装填する紙幣を出金し、紙幣精算装置１２から回収した紙幣を入金する。硬貨出納装置２３は、硬貨精算装置１３へ装填する硬貨を出金し、硬貨精算装置１３から回収した硬貨を入金する。
【００２７】
次に、紙幣処理装置としての紙幣出納装置２２の構成について説明する。紙幣出納装置２２は、筐体２００ａと、入金部２１０ａと、出金部２２０ａと、操作表示部２９５ａとを備え、あとで詳しく説明するように紙幣操出ユニットから紙幣を受け入れ可能なように構成されている。ここで、紙幣操出ユニットとは、紙幣を繰出可能なユニットをいい、紙幣出納装置２２の外部から紙幣を受け入れて１枚ずつ繰出す紙幣受入ユニット２０１ａと、紙幣を内部に収容し、収納した紙幣を繰出す紙幣カセット３０ａとを含む。
【００２８】
図４（Ａ）および（Ｂ）に示すように、入金部２１０ａは、搬送部２３０ａの端部２３１ａに設けられており、紙幣操出ユニットが装着（接続）可能なように構成されている。紙幣操出ユニットが入金部２１０ａに装着された状態において、紙幣操出ユニットから繰出された紙幣は搬送部２３０ａの端部２３１ａを介して紙幣出納装置２２内に搬送されることができる。このように、入金部２１０ａは、紙幣操出ユニットから繰出された紙幣が搬送部２３０ａの端部２３１ａから機内に搬送されるように、紙幣操出ユニットと搬送部２３０ａとを接続する。このため、入金部２１０ａを紙幣操出ユニット接続部と呼ぶこともできる。例えば、店員が紙幣出納装置２２へ紙幣を手動で入金する場合には、紙幣受入ユニット２０１ａが入金部２１０ａに装着される。一方、店員が紙幣出納装置２２へ紙幣カセット３０ａを用いて紙幣を入金（以下、「カセット入金」ともいう。）する場合には、紙幣受入ユニット２０１ａに代えて、紙幣カセット３０ａが入金部２１０ａに装着される（図４（Ｂ）参照）。このように、紙幣出納装置２２は、紙幣受入ユニット２０１ａに代えて、入金部２１０ａに紙幣カセット３０ａを着脱することができるように構成されている。
【００２９】
なお、入金部２１０ａは、紙幣受入ユニット２０１ａ及び紙幣カセット３０ａに限らず、他の形態の紙幣操出ユニットが接続可能なように構成されてもよい。
【００３０】
出金部２２０ａは、紙幣を紙幣出納装置２２の外部に投出するために設けられている。
【００３１】
操作表示部２９５ａは、現金管理装置２１、現金精算装置１１および現金搬送カセット３０の状態等を表示し、かつ、店員等の操作者が命令やデータを入力することができるように構成されている。操作表示部２９５ａは、例えば、タッチパネル式ディスプレイ等でよい。なお、操作表示部２９５ａは、紙幣出納装置２２または硬貨出納装置２３のいずれか一方に設けられ、それらの両方の情報を表示するために共通に用いられる。また、現金出納装置２１の操作手段として、カードリーダ（図示せず）を紙幣出納装置２２に設けてもよい。
【００３２】
図３は、紙幣出納装置２２の構成例を示すブロック図である。紙幣出納装置２２は、前述の入金部２１０ａ、出金部２２０ａおよび操作表示部２９５ａのほか、搬送部２３０ａと、識別部２４０ａと、収納部２５０ａと、回収部２５５ａと、リード・ライト部２５７ａと、ユニット決定部２６０ａと、機外リジェクト部２２２ａと、機内リジェクト部２２４ａと、メモリ２７０ａと、通信部２８０ａと、制御部２９０ａとをさらに備えている。
【００３３】
搬送部２３０ａは、紙幣操出ユニットが接続され、機内に受け入れた紙幣を搬送する。より詳しくは、搬送部２３０ａは、入金部２１０ａに装着された紙幣受入ユニット２０１ａに投入された紙幣を収納部２５０ａへ搬送し、あるいは、出金部２２０ａから投出する紙幣を収納部２５０ａから搬送する。また、搬送部２３０ａは、収納部２５０ａから紙幣カセット３０ａへ紙幣を搬送し、あるいは、紙幣カセット３０ａから収納部２５０ａへ紙幣を搬送できるように構成されている。図４に示すように、搬送部２３０ａおよび所定の部分にはフォトセンサ等のセンサ２４２ａが設けられており、センサ２４２ａは紙幣の有無や紙幣の通過を検知する。
【００３４】
識別部２４０ａは、例えば、磁気センサ、蛍光センサ、金属スレッドセンサ、厚みセンサ、イメージセンサ等のセンサを備え、記憶している各紙幣の特徴とセンサの出力とを比較して、搬送部２３０ａによって搬送される紙幣が受付可能な紙幣か受付できないリジェクト紙幣であるかを識別する。ここで、リジェクト紙幣は、例えば、紙幣以外の紙葉類、受付対象外の外国紙幣、破れや汚れのために識別できない紙幣である。また、搬送の際に、重なって搬送される紙幣や、紙幣同士の間隔が所定の間隔よりも狭い紙幣もリジェクト紙幣として扱われる。
【００３５】
さらに、識別部２４０ａは、リジェクト紙幣ではない紙幣について、その金種、真偽、正損（正券／損券）、新旧等を識別するように構成されている。ここで、正券および損券はいずれも金種の識別が可能な紙幣であるが、正券は流通に適した状態の紙幣をいい、損券は破れや汚れにより流通に適さない紙幣をいう。
【００３６】
収納部２５０ａは、識別部２４０ａにおいて識別された紙幣を金種ごとに収納するとともに、収納した紙幣を１枚ずつ繰出す。この収納部２５０ａは、スタック式収納部でもよく、あるいは、テープリール式収納部であってもよい。回収部２５５ａは、紙幣出納装置２２の収納部２５０ａに収納された紙幣を回収する際に用いられる。回収部２５５ａはボックス、袋などで構成される。
【００３７】
リード・ライト部２５７ａは、紙幣カセット３０ａに設けられた記憶部と有線または無線で通信可能に接続され、この記憶部に格納された情報を読み取り、あるいは、記憶部へ情報を書き込むことができるように構成されている。なお、この紙幣カセット３０ａの有する記憶部は、該紙幣カセット３０ａを特定するためのカセットＩＤ情報を少なくとも記憶し、必要に応じて、紙幣カセット３０ａに収容されている紙幣の金種や数量等の収納紙幣に関する情報を格納してもよい。また、リード・ライト部２５７ａに代って通信部２８０ａが、ＬＡＮ等の通信回線を介して、紙幣カセット３０ａに紙幣を収納した紙幣精算装置１２等から、カセットＩＤ以外の情報（収容紙幣の金種や数量等）を受信してもよい。
【００３８】
ユニット決定部２６０ａは、紙幣を繰出す紙幣操出ユニットを決定する。より詳しくは、ユニット決定部２６０ａは、紙幣操出ユニットの搬送部２３０ａへの接続状況に基づいて、紙幣を繰出す紙幣操出ユニットを決定する。ユニット決定部２６０ａは、セット検知センサおよびユニット接続用コネクタからの情報によって紙幣操出ユニットの搬送部２３０ａへの接続状況を把握し、紙幣を繰出す紙幣操出ユニットを決定する。ここで、セット検知センサは、紙幣受入ユニット２０１ａが入金部２１０ａに装着されたことを検知するためのセンサであり、例えばフォトインタラプタで構成され、紙幣受入ユニット２０１ａに設けられた遮光板がフォトインタラプタを遮光することにより検知する。ユニット接続用コネクタは、紙幣受入ユニット２０１ａや紙幣カセット３０ａの端子（コネクタ）と接続され、駆動用の電源線や信号線を接続する。
【００３９】
ユニット決定部２６０ａは、ユニット接続用コネクタの通電状態から、紙幣操出ユニットが入金部２１０ａに装着されているか否かを検知するとともに、セット検知センサにより、入金部２１０ａに装着された紙幣操出ユニットの種類を検知する。
【００４０】
なお、紙幣出納装置２２は、ユニット接続用コネクタを介して紙幣カセット３０ａ内の記憶部にアクセス（リード、ライト）することができる。この場合、ユニット決定部２６０ａは、記憶部に格納された識別情報により、紙幣操出ユニットの種類を知ることができる。また、紙幣受入ユニット２０１ａが識別情報等を記憶する記憶部を有してもよい。この場合、ユニット決定部２６０ａは、紙幣受入ユニット２０１ａの記憶部に格納された識別情報により、紙幣操出ユニットの種類を知ることができる。
【００４１】
上記のセット検知センサおよびユニット接続用コネクタを用いる場合、ユニット決定部２６０ａは、ユニット接続用コネクタにより紙幣操出ユニットの装着を検知し、かつ、セット検知センサにより紙幣受入ユニット２０１ａの装着を検知したとき、紙幣受入ユニット２０１ａから紙幣を繰出す決定をする。一方、ユニット接続用コネクタにより紙幣操出ユニットの装着を検知し、かつ、セット検知センサにより紙幣受入ユニット２０１ａの装着を検知しないとき、ユニット決定部２６０ａは紙幣カセット３０ａから紙幣を繰出す決定をする。
【００４２】
なお、ユニット決定部２６０ａは、操作表示部２９５ａや現金管理装置２５等（以下、「処理受付部」という。）が受け付けた処理内容に基づいて、紙幣を繰出す紙幣操出ユニットを決定してもよい。これにより、例えば、後述の紙幣処理装置２２Ｘのように、紙幣受入ユニット２０１ａ及び紙幣カセット３０ａの両方を同時に装着可能な場合に、どちらから紙幣を繰出すのかをユーザが処理受付部を介して指示できるようになる。
【００４３】
機外リジェクト部２２２ａ及び機内リジェクト部２２４ａはともに、リジェクト紙幣を集積するために設けられている。機外リジェクト部２２２ａは、識別部２４０ａによりリジェクト紙幣であると識別された紙幣を紙幣出納装置２２の外部から取り出し可能にする。一方、機内リジェクト部２２４ａは、識別部２４０ａによりリジェクト紙幣であると識別された紙幣を紙幣出納装置２２内にセキュリティが確保された状態で収容する。この機内リジェクト部２２４ａは、筐体２００ａの内部に設けられており、装置内にリジェクト紙幣を収納する。このため、店員等の管理権限のないユーザが機内リジェクト部２２４ａ内の紙幣を取り出すことはできない。
【００４４】
メモリ２７０ａは、紙幣出納装置２２を制御する各種プログラムおよびデータを格納するＲＯＭまたはＨＤＤ、および、プログラムのロード領域やプログラム実行時における作業領域となるＲＡＭ等を含む。さらに、メモリ２７０ａは、収納部２５０ａおよび回収部２５５ａに収納されている紙幣の情報（金種や正損別の数量等）も記憶している。さらに、メモリ２７０ａは、紙幣出納装置２２が行った処理内容（日時、処理種別、紙幣の搬送先、処理した紙幣の金種や正損別枚数、および操作者ＩＤなど）を記憶する。また、収納部２５０ａがテープリール式収納部である場合、メモリ２７０ａは、収納部２５０ａが収納している紙幣の収納順と、各紙幣の金種・正損等の情報とを記憶する。
【００４５】
通信部２８０ａは、現金処理システム１を構成する他の装置（現金精算装置１１、現金管理装置２５、ＰＯＳ管理装置２６等）と通信するために設けられている。
【００４６】
制御部２９０ａは、メモリ２７０ａ内のプログラムを実行して紙幣出納装置２２の全体を制御するように構成されている。識別部２４０ａが紙幣操出ユニットから受け入れられた紙幣をリジェクト紙幣と識別したとき、制御部２９０ａは、その紙幣を繰出した紙幣操出ユニットに基づいて、リジェクト紙幣の搬送先を機内リジェクト部２２４ａと機外リジェクト部２２２ａとのいずれかに決定する。例えば、制御部２９０ａは、紙幣受入ユニット２０１ａから受け入れたリジェクト紙幣については搬送先を機外リジェクト部２２２ａに決定し、紙幣カセット３０ａから受け入れたリジェクト紙幣については搬送先を機内リジェクト部２２４ａに決定する。そして、制御部２９０ａはリジェクト紙幣が決定された搬送先に搬送されるように搬送部２３０ａを制御する。
【００４７】
なお、紙幣カセット３０ａ内の紙幣は、紙幣カセット３０ａに収納されるときに一度識別されているため、全てリジェクト紙幣ではないとも思われる。しかしながら、実際には装置ごとの識別部の特性やレベル設定の相違によって、カセット入金の際、正券と判断された紙幣でも損券やリジェクト紙幣と判定されることがある。また、リジェクト紙幣を含めた回収処理が行われた場合、紙幣カセット３０ａにリジェクト紙幣が収納される可能性がある。
【００４８】
次に、図４を参照して、紙幣出納装置２２の内部構成の一例を説明する。
【００４９】
図４（Ａ）および図４（Ｂ）は、紙幣出納装置２２の内部構成の一例を示す断面図である。図４（Ａ）は、入金部２１０ａに紙幣受入ユニット２０１ａを装着した状態を示し、図４（Ｂ）は、入金部２１０ａに紙幣カセット３０ａを装着した状態を示す。なお、操作表示部２９５ａについては、図４においてその図示を省略している。
【００５０】
店員は、紙幣受入ユニット２０１ａを用いて紙幣を紙幣出納装置２２に入金する場合、図４（Ａ）に示すように、入金部２１０ａに紙幣受入ユニット２０１ａを装着する。これにより、ユニット決定部２６０ａは紙幣受入ユニット２０１ａを紙幣操出ユニットと決定し、紙幣受入ユニット２０１ａに投入された紙幣は搬送部２３０ａに繰出される。
【００５１】
一方、店員は、紙幣カセット３０ａ内の紙幣を紙幣出納装置２２に入金する場合、図４（Ｂ）に示すように、入金部２１０ａに紙幣カセット３０ａを装着する。これにより、ユニット決定部２６０ａは紙幣カセット３０ａを紙幣操出ユニットと決定し、紙幣カセット３０ａに収容された紙幣は搬送部２３０ａに繰出される。
【００５２】
紙幣出納装置２２から紙幣を出金する場合には、収納部２５０ａは、紙幣を一枚ずつ搬送部２３０ａへ繰り出す。搬送部２３０ａは、繰り出された紙幣を出金部２２０ａへ搬送し、その紙幣を投出する。
【００５３】
このように、紙幣出納装置２２は、紙幣受入ユニット２０１ａに投入された紙幣を収納部２５０ａへ収納し、逆に、収納部２５０ａに収納された紙幣を出金部２２０ａへ投出することができる。即ち、紙幣出納装置２２は、入金された紙幣を出金に再利用することができるように構成されている。
【００５４】
紙幣を紙幣精算装置１２へ装填する場合、紙幣を紙幣カセット３０ａへ搬送するために、収納部２５０ａが紙幣を一枚ずつ搬送部２３０ａへ繰り出す。搬送部２３０ａは、繰り出された紙幣を紙幣現金搬送カセット３０ａへ出金する。これにより、紙幣出納装置２２は、紙幣精算装置１２へ装填する紙幣を紙幣カセット３０ａへ出金することができる。紙幣精算装置１２から紙幣を回収する場合、紙幣カセット３０ａがその中にある紙幣を一枚ずつ搬送部２３０ａへ繰り出す。搬送部２３０ａは、繰り出された紙幣を収納部２５０ａへ収納する。
【００５５】
このように、紙幣出納装置２２は、紙幣精算装置１２へ装填される紙幣を紙幣カセット３０ａへ出金し、あるいは、紙幣精算装置１２から回収された紙幣を紙幣カセット３０ａから入金することができるように構成されている。
【００５６】
次に、紙幣出納装置２２の入出金処理について図面を用いてより詳しく説明する。紙幣出納装置２２の入出金処理は、入金、出金、補充および回収の４つに大別される。それぞれの処理について、図５〜図７を用いて説明する。
【００５７】
（入金処理）
入金処理は、紙幣を紙幣出納装置２２に入金する処理であり、例えば、紙幣精算装置１２から回収された紙幣を紙幣出納装置２２に入金する際に行われる。紙幣の入金は、紙幣受入ユニット２０１ａ及び紙幣カセット３０ａのいずれを用いても可能である。
【００５８】
図５（Ａ）は、入金部２１０ａに紙幣受入ユニット２０１ａが装着されている場合における、入金される紙幣の搬送経路を示している（経路ａ、経路ｂおよび経路ｃ）。
【００５９】
店員が紙幣受入ユニット２０１ａへ紙幣を投入し、処理受付部が入金指示を受け付けると、紙幣受入ユニット２０１ａは投入された紙幣を一枚ずつ搬送部２３０ａへ繰り出す。搬送部２３０ａは、繰り出された紙幣を識別部２４０ａに通過させ、リジェクト紙幣であるか否かを識別する。その結果、（リジェクト紙幣ではない）正常な紙幣の場合、搬送部２３０ａはその紙幣を金種に対応する収納部２５０ａに搬送する（図５（Ａ）の経路ａ）。なお、搬送部２３０ａは、正常な紙幣であっても、収納部２５０ａがフルの場合、その紙幣を回収集積部２５４ａに搬送する（図５（Ａ）の経路ｃ）。回収集積部２５４ａは搬送されてきた紙幣を集積するとともに、回収集積部２５４ａの底面を開放して集積した紙幣を落下させる。これにより、回収集積部２５４ａに集積された紙幣は回収部２５５ａに収納される。回収集積部２５４ａに集積された紙幣がフル枚数（集積可能な最大枚数）を超えたときは、回収集積部２５４ａへの紙幣の搬送を停止し、集積された紙幣を回収部２５５ａに収納した後、搬送を再開する。
【００６０】
一方、識別部２４０ａによりリジェクト紙幣と識別された場合、搬送部２３０ａは、そのリジェクト紙幣を機外リジェクト部２２２ａへ搬送する（図５（Ａ）の経路ｂ）。
【００６１】
図５（Ｂ）は、入金部２１０ａに紙幣カセット３０ａが装着されている場合における、入金される紙幣の搬送経路（経路ａ、経路ｂおよび経路ｃ）を示している。
【００６２】
処理受付部が入金指示を受け付けると、紙幣カセット３０ａはその内部に収容された紙幣を一枚ずつ搬送部２３０ａに繰出す。搬送部２３０ａは繰り出された紙幣を識別部２４０ａに通過させ、識別部２４０ａはリジェクト紙幣であるか否かを識別する。その結果、正常な紙幣の場合、搬送部２３０ａは、その紙幣を金種に対応する収納部２５０ａに搬送する（図５（Ｂ）の経路ａ）。なお、搬送部２３０ａは、正常な紙幣であっても、収納部２５０ａがフルの場合、その紙幣を回収集積部２５４ａに搬送し、回収部２５５ａに収納する（図５（Ｂ）の経路ｃ）。
【００６３】
一方、識別部２４０ａによりリジェクト紙幣と識別された場合、搬送部２３０ａは、そのリジェクト紙幣を機内リジェクト部２２４ａに搬送する（図５（Ｂ）の経路ｂ）。
【００６４】
上記のように、紙幣出納装置２２は、紙幣受入ユニット２０１ａから繰出された紙幣か紙幣カセット３０ａから繰出された紙幣かによって、機内に受け入れられたリジェクト紙幣の搬送先を変える。より具体的には、紙幣受入ユニット２０１ａから繰出された紙幣の場合には、制御部２９０ａは、リジェクト紙幣を機外リジェクト部２２２ａに搬送するように搬送部２３０ａを制御する。一方、紙幣カセット３０ａから繰出された紙幣の場合には、制御部２９０ａはリジェクト紙幣を機内リジェクト部２２４ａに搬送するように搬送部２３０ａを制御する。なお、入金処理の内容はメモリ２７０ａに記憶される。
【００６５】
このように、紙幣カセット３０ａ内のリジェクト紙幣については、筐体２００ａの内部に設けられた機内リジェクト部２２４ａに搬送・収容することにより、店員等の管理権限のないユーザが紙幣カセット３０ａ内に収容された紙幣に触れることはできず、紙幣カセット３０ａ内の紙幣に対するセキュリティを維持することができる。また、カセット入金する際、紙幣出納装置２２が紙幣カセット３０ａ内の紙幣の収納順序および金種や正損等の各紙幣の情報を、例えば紙幣カセット３０ａの記憶部から把握可能な場合には、この情報に基づき、紙幣出納装置２２で識別を行わずに入金処理を行うこともできる。
【００６６】
（出金処理）
出金処理は、紙幣出納装置２２から紙幣を出金する処理であり、例えば、紙幣精算装置１２に紙幣を補充する際に行われる。紙幣の出金は、紙幣受入ユニット２０１ａ及び紙幣カセット３０ａのいずれを用いても可能である。図６（Ａ）および図６（Ｂ）はそれぞれ、入金部２１０ａに紙幣受入ユニット２０１ａおよび紙幣カセット３０ａが装着されている場合における、出金される紙幣の搬送経路を示している（経路ａおよび経路ｂ）。
【００６７】
処理受付部が出金指示を受け付けると、収納部２５０ａは収納された紙幣を一枚ずつ搬送部２３０ａへ繰り出す。搬送部２３０ａは繰り出された紙幣をセンサ２４２ａに通過させ、センサ２４２ａはリジェクト紙幣であるか否かを識別する。その結果、正常な紙幣の場合、搬送部２３０ａはその紙幣を、紙幣受入ユニット２０１ａが装着されているときには出金部２２０ａに搬送し、紙幣カセット３０ａが装着されているときには紙幣カセット３０ａに搬送する（図６（Ａ）及び（Ｂ）の経路ａ）。
【００６８】
紙幣カセット３０ａに搬送された紙幣は紙幣カセット３０ａに収納され、紙幣カセット３０ａの記憶部は収納する紙幣の金種別枚数を記憶する。紙幣カセット３０ａがテープリール式の場合には、記憶部は紙幣の収納順と、各紙幣の金種・正損等の情報を記憶する。
【００６９】
一方、センサ２４２ａによりリジェクト紙幣と識別された場合、入金部２１０ａに装着された紙幣操出ユニットによらず、搬送部２３０ａはそのリジェクト紙幣を機内リジェクト部２２４ａに搬送する（図６（Ａ）及び（Ｂ）の経路ｂ）。なお、出金処理の内容はメモリ２７０ａに記憶される。
【００７０】
（補充処理）
補充処理は、紙幣出納装置２２に紙幣を補充する処理であり、例えば、金庫にある紙幣を紙幣出納装置２２に入金する際に行われる。処理受付部が補充指示を受け付けると、入金処理と同様に補充処理が行われる。
【００７１】
図７（Ａ）は、紙幣受入ユニット２０１ａから補充された紙幣の搬送経路を示している。即ち、図７（Ａ）の経路ａは識別部２４０ａにより正常と識別された紙幣の搬送経路を示し、経路ｂは識別部２４０ａによりリジェクト紙幣と識別された紙幣の搬送経路を示している。図７（Ａ）からわかるように、補充処理における紙幣の搬送経路は、入金処理における紙幣の搬送経路（図５（Ａ）の経路ａ及び経路ｂ）と同様である。なお、補充処理の内容はメモリ２７０ａに記憶される。
【００７２】
（回収処理）
回収処理は、紙幣出納装置２２内の紙幣を回収する処理であり、例えば、紙幣出納装置２２内の紙幣を金庫に出金する際に行われる。図７（Ｂ）は、回収処理時における、収納部２５０ａに収納された紙幣の搬送経路を示している。即ち、図７（Ｂ）の経路ａはセンサ２４２ａにより正常と識別された紙幣の搬送経路を示し、経路ｂはセンサ２４２ａによりリジェクト紙幣と識別された紙幣の搬送経路を示している。
【００７３】
図７（Ｂ）に示すように、回収処理では、処理受付部が回収指示を受け付けると、収納部２５０ａ内の正常紙幣は回収部２５５ａに搬送され、リジェクト紙幣は機内リジェクト部２２４ａに搬送される。回収部２５５ａに搬送された紙幣は、管理権限を有するユーザによって紙幣出納装置２２の外部に取り出される。回収処理の途中で回収部２５５ａがフルになった場合には、回収部２５５ａを空のものと交換することにより、回収処理を継続することができる。なお、回収処理の内容はメモリ２７０ａに記憶される。
【００７４】
なお、入金処理および補充処理において、識別部２４０ａにより特定種別の紙幣であると識別された紙幣については、紙幣受入ユニット２０１ａから入金された場合であっても、搬送部２３０ａはその紙幣を機内リジェクト部２２４ａに搬送するようにしてもよい。例えば、ＥＣ協議会規定１３３８の第６項に定められたカテゴリー２の紙幣（偽造紙幣）やカテゴリー３の紙幣（真偽不確定）と識別された紙幣については、その流通を阻止するため、紙幣操出ユニットの種別にかかわらず機内リジェクト部２２４ａに搬送することが好ましい。
【００７５】
また、紙幣カセット３０ａから受け入れられたリジェクト紙幣の搬送先の変更は、処理受付部からの指示に限らず、紙幣カセット３０ａの有する記憶部に格納された、収納紙幣に関する情報に基づいて行ってもよい。例えば、紙幣カセット３０ａからＮ番目に紙幣以外の紙葉類（小切手等）が繰出されることを示す情報が紙幣カセット３０ａの記憶部に格納されている場合、制御部２９０ａは、紙幣カセットからＮ番目に繰出された紙葉類については機外リジェクト部２２２ａに搬送する制御を行うようにしてもよい。
【００７６】
上記の紙幣出納装置２２は紙幣操出ユニットとして紙幣受入ユニット２０１ａおよび紙幣カセット３０ａのいずれかを入金部２１０ａに装着するものであったが、本発明はこれに限らない。即ち、本発明は、紙幣受入ユニット２０１ａ及び紙幣カセット３０ａの両方を同時に装着可能な紙幣出納装置を含む。
【００７７】
図８は、そのような紙幣出納装置２２Ｘの内部構成を示す断面図である。紙幣出納装置２２Ｘには、紙幣受入ユニット２０１ａおよび紙幣カセット３０ａの両方が装着されている。
【００７８】
図８に示すように、搬送部２３０ａは、紙幣受入ユニット２０１ａおよび紙幣カセット３０ａのいずれかからであっても紙幣を機内の所定の部分（収納部２５０ａ、機内リジェクト部２２４ａ、機外リジェクト部２２２ａおよび回収集積部２５４ａ）に搬送可能なように構成されている。また、図８に示すように、紙幣受入ユニット２０１ａから繰出された紙幣と紙幣カセット３０ａから繰出された紙幣とに対して共通の搬送部２３０ａに識別部２４０ａが設けられている。
【００７９】
制御部２９０ａは、紙幣受入ユニット２０１ａから受け入れられたリジェクト紙幣については機外リジェクト部２２２ａへ搬送する制御を行い、紙幣カセット３０ａから受け入れられたリジェクト紙幣については機内リジェクト部２２４ａへ搬送する制御を行う。
【００８０】
なお、紙幣出納装置２２Ｘにおいて、ユーザは処理受付部に指示を与えることで紙幣操出ユニットを任意に選択することができる。ユニット決定部２６０ａは、処理受付部が受け付けた処理内容に基づいて、紙幣を繰出す紙幣繰出ユニットを決定する。
【００８１】
上記の説明では、紙幣出納装置２２，２２Ｘには２種類の紙幣操出ユニット（紙幣受入ユニット２０１ａ及び紙幣カセット３０ａ）が装着可能であったが、本発明はこれに限らず、３種類以上の紙幣操出ユニットから紙幣を受入可能な紙幣出納装置に適用することができる。
【００８２】
上述のように、本実施形態に係る紙幣処理装置２２は、少なくとも２種類の紙幣繰出ユニット（例えば、紙幣受入ユニット２０１ａ及び紙幣カセット３０ａ）から紙幣を受け入れ可能であり、紙幣処理装置２２内にリジェクト紙幣を収納する機内リジェクト部２２４ａと、紙幣処理装置２２外にリジェクト紙幣を投出する機外リジェクト部２２２ａとを備えるとともに、紙幣を繰出す紙幣繰出ユニットを決定するユニット決定部２６０ａと、識別部２４０ａが紙幣操出ユニットから受け入れられた紙幣をリジェクト紙幣と識別したとき、その紙幣を繰出した紙幣繰出ユニットに基づいて、リジェクト紙幣の搬送先を機内リジェクト部２２４ａと機外リジェクト部２２２ａとのいずれかに決定する制御部２９０ａとを備える。
【００８３】
このような紙幣処理装置２２によれば、紙幣を繰出した紙幣操出ユニットに応じて、リジェクト紙幣の搬送先は機内リジェクト部２２４ａまたは機外リジェクト部２２２ａに自動的に決定される。その結果、紙幣処理装置２２のユーザからリジェクト紙幣の搬送先を指示することが不要となり、紙幣出納装置２２の使いやすさを向上させることができる。
【００８４】
また、本実施形態に係る紙幣処理装置２２においては、前述のように、ユニット決定部２６０ａは、紙幣繰出ユニットの搬送部２３０ａへの接続状況に基づいて、紙幣を繰出す紙幣繰出ユニットを決定する。これにより、ユニット決定部２６０ａはユーザからの指示がなくとも、紙幣を繰出す紙幣繰出ユニットを決定することができる。
【００８５】
また、本実施形態に係る紙幣処理装置２２は、前述のように、処理を受け付ける処理受付部（操作表示部２９５ａや現金管理装置２５等）をさらに備えるとともに、ユニット決定部２６０ａは、処理受付部によって受け付けた処理内容に基づいて、紙幣を繰出す紙幣繰出ユニットを決定する。これにより、例えば紙幣処理装置２２Ｘのように、紙幣受入ユニット２０１ａ及び紙幣カセット３０ａの両方を同時に装着可能な場合に、どちらから紙幣を繰出すのかをユーザが処理受付部を介して指示できるようになる。
【００８６】
また、本実施形態に係る紙幣処理装置２２においては、前述のように、紙幣繰出ユニットは、外部から紙幣を受け入れて１枚ずつ繰出す紙幣受入ユニット２０１ａと、紙幣を内部に収納し、収納した紙幣を繰出す紙幣カセット３０ａとである。
【００８７】
また、本実施形態に係る紙幣処理装置２２においては、前述のように、制御部２９０ａは、紙幣受入ユニット２０１ａから受け入れたリジェクト紙幣を機外リジェクト部２２２ａへ搬送し、紙幣カセット３０ａから受け入れたリジェクト紙幣を機内リジェクト部２２４ａへ搬送する制御を行う。これにより、紙幣カセット３０ａ内の紙幣についてはリジェクト紙幣であっても、管理権限を有するユーザ以外は触れることができず、セキュリティの一貫性を確保することができる。
【００８８】
また、本実施形態に係る紙幣処理装置２２においては、前述のように、処理を受け付ける処理受付部（操作表示部２９５ａや現金管理装置２５等）をさらに備えるとともに、制御部２９０ａは、処理受付部によって受け付けた指示に応じて、紙幣カセット３０ａから受け入れたリジェクト紙幣を機外リジェクト部２２２ａへ搬送する制御を行う。これにより、通常処理とは異なるイレギュラーな処理を行う必要が生じた場合にも対応することができる。例えば、管理権限を有するユーザが、紙幣カセット３０ａ内のリジェクト紙幣を目視確認したい場合にも対応することができる。
【００８９】
次に、紙幣受入ユニット２０１ａを移動させることにより紙幣カセット３０ａを装着可能な紙幣処理装置２２について、３つの実施形態（第１ないし第３の実施形態）を説明する。
【００９０】
第１の実施形態において、紙幣受入ユニット２０１ａは、紙幣出納装置２２と一体に構成され、所定の軸を中心に回転可能なように構成されている。
【００９１】
図９は、本実施形態に係る紙幣出納装置２２の斜視図である。図９（Ａ）は紙幣受入ユニット２０１ａが入金部２１０ａに装着された状態を示し、図９（Ｂ）は紙幣カセット３０ａを入金部２１０ａに装着する際の状態を示している。
【００９２】
図９（Ｂ）に示すように、ユニット接続用コネクタ３１０ａが入金部２１０ａに設けられている。このユニット接続用コネクタ３１０ａは、紙幣受入ユニット２０１ａのコネクタ３２０ａ、または紙幣カセット３０ａのコネクタ３３０ａと接続される。
【００９３】
また、図９（Ｂ）に示すように、フォトインタラプタ４１０ａが入金部２１０ａに設けられ、このフォトインタラプタ４１０ａを遮光する遮光板４２０ａが紙幣受入ユニット２０１ａに設けられている。紙幣受入ユニット２０１ａが入金部２１０ａに装着されたとき（図９（Ａ）参照）、遮光板４２０ａはフォトインタラプタ４１０ａを遮光する。
【００９４】
図９（Ａ）及び（Ｂ）に示すように、紙幣受入ユニット２０１ａに代えて紙幣カセット３０ａを装着するときは、紙幣受入ユニット２０１ａのセットロックを解除した後、紙幣受入ユニット２０１ａを持ち上げ、軸Ａを中心に回転移動させて筐体２００ａの上面に退避させる。このとき、ユニット接続用コネクタ３１０ａとコネクタ３２０ａの接続が解除されるとともに、遮光板４２０ａがフォトインタラプタ４１０ａから外れることにより、フォトインタラプタ４１０ａは発光部からの光が受光部により受信される投光状態となる。
【００９５】
このように、第１の実施形態では、紙幣受入ユニット２０１ａが回転移動することにより、紙幣カセット３０ａを装着するスペースを設ける。
【００９６】
紙幣受入ユニット２０１ａを退避させた後、図９（Ｂ）に示すように、紙幣カセット３０ａを入金部２１０ａに装着する。この際、紙幣カセット３０ａの幅と、入金部２１０ａの側面の間隔とはほぼ同じであるため、入金部２１０ａの底面および側面からなる凹部が紙幣カセット３０ａのガイドとして機能する。
【００９７】
カセット３０ａが入金部２１０ａに装着されると、ユニット接続用コネクタ３１０ａとコネクタ３３０ａが接続される。紙幣カセット３０ａには遮光板４２０ａのような遮光板は設けられていないため、紙幣カセット３０ａが入金部２１０ａに装着されてもフォトインタラプタ４１０ａは投光状態のままである。
【００９８】
また、紙幣カセット３０ａおよび紙幣受入ユニット２０１ａの紙幣操出口の位置は、これらが入金部２１０ａに装着された状態において、端部２３１ａの位置と一致する。これにより、入金部２１０ａに装着された紙幣カセット３０ａは搬送部２３０ａと接続され、紙幣カセット３０ａから繰出された紙幣を搬送部２３０ａにより機内に搬送することができる。
【００９９】
紙幣受入ユニット２０１ａの退避方法以外の上記の構成は、第２および第３の実施形態でも同様である。
【０１００】
第１の実施形態では、紙幣受入ユニット２０１ａを回転移動により退避し、紙幣受入ユニット２０１ａが装着されていた場所に紙幣カセット３０ａを装着する。このため、紙幣カセット３０ａを装着するための新たなスペースを設ける必要がなく、また、紙幣カセットによる入出金および手動による入出金をほぼ高さで行うことができる。
【０１０１】
さらに、紙幣カセット３０ａから繰出された紙幣は、紙幣受入ユニット２０１ａの場合と同じく搬送部２３０ａの端部２３１ａから機内に搬送される。このため、紙幣カセット３０ａから繰出された紙幣を機内に搬送するための搬送路を新たに設ける必要がない。
【０１０２】
このように、第１の実施形態による紙幣出納装置は、紙幣カセットによる入出金および手動による入出金の両方に対応するとともに、省スペースでありながら、紙幣カセットによる入出金および手動による入出金をほぼ高さで行うことができる。    
次に説明する第２の実施形態においては、紙幣受入ユニット２０１ａは、紙幣出納装置２２と一体に構成され、移動機構により上下に平行移動可能なように構成されている。
【０１０３】
図１０は、第２の実施形態に係る紙幣出納装置２２の斜視図である。図１０（Ａ）は入金部２１０ａに紙幣受入ユニット２０１ａが装着された状態を示し、図１０（Ｂ）は紙幣カセット３０ａを入金部２１０ａに装着する際の状態を示している。
【０１０４】
図１０（Ａ）及び（Ｂ）に示すように、紙幣受入ユニット２０１ａに代えて紙幣カセット３０ａを装着するときは、紙幣受入ユニット２０１ａを上方向に平行移動させ、筐体２００ａの上側に退避させる。例えば、紙幣受入ユニット２０１ａを上下に平行移動させる移動機構（図示せず）を動作させるためのボタン２１１ａを押下することによって、紙幣受入ユニット２０１ａを筐体２００ａの上側に退避させる。このように、第２の実施形態では、紙幣受入ユニット２０１ａが平行移動することにより、紙幣カセット３０ａを装着するスペースを設ける。
【０１０５】
紙幣受入ユニット２０１ａを退避した後、図１０（Ｂ）からわかるように、紙幣カセット３０ａを入金部２１０ａに装着する。これにより、紙幣カセット３０ａは搬送部２３０ａと接続され、紙幣カセット３０ａから繰出された紙幣を搬送部２３０ａにより機内に搬送することができる。
【０１０６】
上記からわかるように、第２の実施形態の場合にも、第１の実施形態と同様の効果を得ることができる。さらに、第２の実施形態によれば、筐体２００ａの上面を紙幣受入ユニット２０１ａの退避用スペースとして空けておく必要がないため、筐体２００ａの上面にプリンターやカードリーダ等の機器を設置する余裕を大きくすることができる。
【０１０７】
次に説明する第３の実施形態においては、紙幣受入ユニット２０１ａは、紙幣出納装置２２に対して着脱可能なように構成されている。
【０１０８】
図１１は、第３の実施形態に係る紙幣出納装置２２の斜視図である。図１１（Ａ）は入金部２１０ａに紙幣受入ユニット２０１ａが装着された状態を示し、図１１（Ｂ）は紙幣カセット３０ａを入金部２１０ａに装着する際の状態を示している。
【０１０９】
図１１（Ａ）及び（Ｂ）に示すように、紙幣受入ユニット２０１ａに代えて紙幣カセット３０ａを装着するときは、紙幣受入ユニット２０１ａを紙幣出納装置２２から取り外して退避させる。このように、第３の実施形態では、紙幣受入ユニット２０１ａを紙幣出納装置２２から取り外すことにより、紙幣カセット３０ａを装着するスペースを設ける。
【０１１０】
紙幣受入ユニット２０１ａを退避した後、図１１（Ｂ）からわかるように、紙幣カセット３０ａを入金部２１０ａに装着する。これにより、紙幣カセット３０ａは搬送部２３０ａと接続され、紙幣カセット３０ａから繰出された紙幣を搬送部２３０ａにより機内に搬送することができる。
【０１１１】
上記からわかるように、第３の実施形態の場合にも、第２の実施形態と同様の効果を得ることができる。
【０１１２】
上述のように、本実施形態に係る紙幣処理装置２２は、端部２３１ａから紙幣を受け入れて、その紙幣を紙幣処理装置２２内に搬送する搬送部２３０ａと、少なくとも２種類の紙幣繰出ユニット（例えば、紙幣受入ユニット２０１ａ及び紙幣カセット３０ａ）が装着可能なように構成されており、紙幣操出ユニットから繰出された紙幣が搬送部２３０ａの端部２３１ａから搬送されるように、紙幣操出ユニットと搬送部２３０ａとを接続する紙幣操出ユニット接続部（入金部）２１０ａと、を備える。
【０１１３】
このような構成により、本実施形態に係る紙幣処理装置２２によれば、入金部２１０ａに装着される紙幣操出ユニットの種類によらず、紙幣操出ユニットから繰出された紙幣は、搬送部２３０ａの端部２３１ａから機内に搬送される。このため、紙幣カセット３０ａから繰出された紙幣を機内に搬送するための搬送路を新たに設ける必要がない。その結果、紙幣処理装置２２を低コスト化することができる。
【０１１４】
また、本実施形態に係る紙幣処理装置２２においては、前述のように、紙幣操出ユニットは、外部から紙幣を受け入れて１枚ずつ繰出す紙幣受入ユニット２０１ａと、紙幣を内部に収納し、収納した紙幣を繰出す紙幣カセット３０ａとである。
【０１１５】
また、本実施形態に係る紙幣処理装置２２においては、前述のように、紙幣受入ユニット２０１ａは、紙幣処理装置２２と一体に構成されており、かつ、搬送部２３０ａと接続される第１の位置と、搬送部２３０ａと切り離される第２の位置との間を移動可能に構成されているとともに、紙幣受入ユニット２０１ａが第２の位置にあるとき、紙幣カセット３０ａを第１の位置に装着可能である。
【０１１６】
このような構成により、本実施形態に係る紙幣処理装置２２によれば、紙幣カセット３０ａを装着するための新たなスペースを設ける必要がない。また、入金部２１０ａに装着された紙幣カセット３０ａから繰出された紙幣は、紙幣受入ユニット２０１ａの場合と同じく搬送部２３０ａの端部２３１ａから機内に搬送される。このため、紙幣カセット３０ａから繰出された紙幣を機内に搬送するための搬送路を新たに設ける必要がない。さらに、ユーザは紙幣受入ユニット２０１ａによる入金と紙幣カセット３０ａによる入金とを同じ高さで行うことができるため、紙幣処理装置２２の使いやすさを向上させることができる。
【０１１７】
また、本実施形態に係る紙幣処理装置２２においては、図１１用いて説明したように、紙幣受入ユニット２０１ａは、紙幣処理装置２２に対して着脱可能に構成してもよい。上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１１８】
１  現金管理システム
１０  チェックアウトカウンター
１１  現金精算装置
１２  紙幣精算装置
１３  硬貨精算装置
１４  レジスタ
２０  バックオフィス
２１  現金出納装置
２２  紙幣出納装置
２３  硬貨出納装置
２５  現金管理装置
２６  ＰＯＳ管理装置
３０  現金搬送カセット
３０ａ  紙幣カセット
２００ａ  筐体
２０１ａ  紙幣受入ユニット
２１０ａ  入金部
２２０ａ  出金部
２２２ａ  機外リジェクト部
２２４ａ  機内リジェクト部
２３０ａ  搬送部
２３１ａ  端部
２４０ａ  識別部
２４２ａ  センサ
２５０ａ  収納部
２５４ａ  回収集積部
２５５ａ  回収部
２６０ａ  ユニット決定部
２７０ａ  メモリ
２８０ａ  通信部
２９０ａ  制御部
２９５ａ  操作表示部
３１０ａ  ユニット接続用コネクタ
３２０ａ，３３０ａ  コネクタ
４１０ａ  フォトインタラプタ
４２０ａ  遮光板
【図１】
2015109102.tif 000003
【図２】
2015109102.tif 000004
【図３】
2015109102.tif 000005
【図４】
2015109102.tif 000006
【図５】
2015109102.tif 000007
【図６】
2015109102.tif 000008
【図７】
2015109102.tif 000009
【図８】
2015109102.tif 000010
【図９】
2015109102.tif 000011
【図１０】
2015109102.tif 000012
【図１１】
2015109102.tif 000013